(57)【要約】【課題】移動無線通信端末など、表示画面の小さな端末においても、容易に利用可能なＢＢＳを提供可能な電子掲示板サービス提供システムを実現すること。  文字メッセージを取り扱うＢＢＳホスト８と、文字メッセージに関連づけられた音声データの記録、再生を行う音声処理装置５を有する。ＢＢＳホスト８は、関連付けされた音声データを有する文字メッセージの読み出しを受信すると、文字メッセージデータとともに関連付けされた音声データの再生を行うための、音声処理装置５への発呼番号を移動無線通信端末１１へ通知する。また、新規にメッセージを作成する場合も、メッセージ作成画面の表示データの中に、そのメッセージに関連づけた音声を録音するための、音声処理装置５への発呼番号を含ませて送信する。
2004523930.tif 000002
【特許請求の範囲】
【請求項１】
音声データの読み出しと記録が可能な、電話網に接続された音声処理装置と、
文字メッセージを蓄積する文字メッセージデータベースを有し、読み出し要求に応答して、要求された前記文字メッセージを前記文字メッセージデータベースから読み出して送信する、コンピュータネットワークに接続されたサーバ装置とを有する電子掲示板サービス提供システムであって、
前記サーバ装置が、
前記音声データと関連付けされた文字メッセージに対する前記読み出し要求を受信した場合、当該要求に応答して、前記要求された文字メッセージデータを前記読み出し要求の発信元に送信するとともに、その文字メッセージに関連づけられた前記音声データを前記音声処理装置で再生させるために必要な音声再生用データを、前記読み出し要求の送信元に送信するメッセージ送信手段と、
前記文字メッセージデータベースへ蓄積する新規文字メッセージの作成要求に応答して、文字メッセージの作成に必要なデータと、前記音声処理装置を利用して、前記新規文字メッセージに関連した音声の記録を行うために必要な音声記録用データを前記作成要求の送信元に送信するメッセージ作成データ送信手段との少なくとも一方を有することを特徴とする電子掲示板サービス提供システム。
【請求項２】
前記読み出し要求及び新規作成要求が、コンピュータネットワークを介したデータ通信が可能な電話端末から発信され、
前記音声再生用データ及び音声記録用データが前記電話端末から前記音声処理装置へ発呼するために必要なデータであることを特徴とする請求項１記載の電子掲示板サービス提供システム。
【請求項３】
前記音声再生用データ及び前記音声記録用データが、前記電話端末に対して前記音声処理装置へ発呼するよう指示する命令を含んだデータであることを特徴とする請求項２記載の電子掲示板サービス提供システム。
【請求項４】
前記文字メッセージに対する前記音声データの関連付けが、前記文字メッセージに割り当てられた固有の情報によってなされることを特徴とする請求項１乃至請求項３のいずれか１項に記載の電子掲示板サービス提供システム。
【請求項５】
前記サーバー装置と前記音声処理装置とが互いに通信可能に接続され、前記新規文字メッセージの作成中に記録された音声データと、前記サーバ装置が受信した新規文字メッセージとの関連付けの有無を検出するために必要なデータを互いに送受信することを特徴とする請求項１乃至請求項４のいずれか１項に記載の電子掲示板サービス提供システム。
【請求項６】
文字メッセージデータベースに記憶された文字メッセージに、関連付けされた音声データの有無を表す情報が含まれることを特徴とする請求項１乃至請求項５のいずれか１項に記載の電子掲示板サービス提供システム。
【請求項７】
音声データの再生と記録が可能な、電話網に接続された音声処理装置と、
文字メッセージを蓄積する文字メッセージデータベースを有し、読み出し要求に応答して、要求された前記文字メッセージを前記文字メッセージデータベースから読み出して送信する、コンピュータネットワークに接続されたサーバ装置とを有する電子掲示板サービス提供システムの制御方法であって、
前記サーバ装置において、前記音声データと関連付けされた文字メッセージに対する前記読み出し要求を受信した場合、当該要求に応答して、前記要求された文字メッセージデータを前記読み出し要求の発信元に送信するとともに、その文字メッセージに関連づけられた前記音声データを前記音声処理装置で再生させるために必要な音声再生用データを、前記読み出し要求の送信元に送信するメッセージ送信ステップと、
前記サーバ装置において、前記文字メッセージデータベースへ蓄積する新規文字メッセージの作成要求に応答して、文字メッセージの作成に必要なデータと、前記音声処理装置を利用して、前記新規文字メッセージに関連した音声の記録を行うために必要な音声記録用データを前記作成要求の送信元に送信するメッセージ作成データ送信ステップとの少なくとも一方を有することを特徴とする電子掲示板サービス提供システムの制御方法。
【請求項８】
前記読み出し要求及び新規作成要求が、コンピュータネットワークを介したデータ通信が可能な電話端末から発信され、
前記音声再生用データ及び音声記録用データが前記電話端末から前記音声処理装置へ発呼するために必要なデータであることを特徴とする請求項７記載の電子掲示板サービス提供システムの制御方法。
【請求項９】
前記音声再生用データ及び前記音声記録用データが、前記電話端末に対して前記音声処理装置へ発呼するよう指示する命令を含んだデータであることを特徴とする請求項８記載の電子掲示板サービス提供システムの制御方法。
【請求項１０】
前記文字メッセージに対する前記音声データの関連付けが、前記文字メッセージに割り当てられた固有の情報によってなされることを特徴とする請求項７乃至請求項９のいずれか１項に記載の電子掲示板サービス提供システムの制御方法。
【請求項１１】
前記サーバー装置と前記音声処理装置とが互いに通信可能に接続され、
前記新規文字メッセージの作成中に記録された音声データと、前記サーバ装置が受信した新規文字メッセージとの関連付けの有無を検出するために必要なデータを互いに送受信するステップをさらに有することを特徴とする請求項７乃至請求項１０のいずれか１項に記載の電子掲示板サービス提供システムの制御方法。
【請求項１２】
前記文字メッセージデータベースに記憶された文字メッセージに、関連付けされた音声データの有無を表す情報が含まれることを特徴とする請求項７乃至請求項１１のいずれか１項に記載の電子掲示板サービス提供システムの制御方法。
【発明の詳細な説明】
【０００１】
（発明が属する技術分野）
本発明は電子掲示板サービス提供システム及びその制御方法に関し、特に文字情報とともに音声情報を取り扱い可能な電子掲示板サービス提供システム及びその制御方法に関する。
【０００２】
（背景技術）
電子掲示板（ＢＢＳ）システムは、１対多の情報交換を実現するシステムとして所謂パソコン通信の時代から広く用いられているが、近年、インターネット接続サービスの普及により、所謂ホームページ上に設けられたＢＢＳが急速に増加している。
【０００３】
図１１Ａは、ホームページ上に設けられたＢＢＳの例を示す図である。図に示すように、通常ＢＢＳは、ある人が投げかけたトピックに対して、他人がコメントするという形式で形成され、初期画面においてはトピックとそれに対するコメントのタイトルがインデント表示される。
【０００４】
図１１Ａの例では、タイトルに”Ｒｅ：”が無く、インデントのないメッセージがトピックであり、トピックに続いてインデント表示される、タイトルに”Ｒｅ：”がついたメッセージがトピックに対するコメントである。
【０００５】
また、初期画面においては、図１１Ａに示すように、タイトル以外にも例えばメッセージの送信者名（ハンドル名）や作成日時等も併せて表示されることが多い。また、初期画面において最下段に表示される「新規トピックの作成」、「次のページを表示」「前のページに戻る」のそれぞれのリンクを選択すると、新規トピックを作成するためのメッセージ作成画面表示又は、次ページ／前ページ表示がそれぞれ行われる。
【０００６】
初期画面において表示されるタイトルはリンク表示されており、所望のタイトルを選択すると、そのメッセージの全文が表示される（図１１Ｂ）。全文表示画面においては、タイトル、メッセージの作成者名、作成日時とともにメッセージの全テキストが表示される。そして、画面最下段には「応答する」「新規トピックの作成」「戻る」のリンクがそれぞれ表示される。
【０００７】
「応答する」を選択すると、表示中のメッセージに対するコメント作成画面が表示される。「新規トピックの作成」を選択すると、初期画面における同名のリンクを選択した際と同様に、トピックとしての新規メッセージを作成する画面が表示される。「戻る」を選択すると、初期画面（図１１Ａ）が表示される。
このように、ＢＢＳでは提起されたトピックに対して不特定多数の第３者が連鎖的にコメントを行うことで、トピックに対する意見交換が行われる。
【０００８】
従来、このようなＢＢＳはコンピュータに対して提供されてきた。しかしながら、昨今では所謂純粋なコンピュータ以外にも、インターネットへの接続機能を有する装置が開発されてきている。その端的な例が携帯電話等の移動無線通信端末である。
【０００９】
このような移動無線通信端末は、携帯性を重視した設計がなされているため、その表示画面も小型である。そのため、移動無線通信端末からインターネット上のホームページで提供されるＢＢＳを閲覧すると、一画面に表示できる文字数が制限されるため、多くのタイトルから所望のタイトルを探すことが困難である。
また、探し出したメッセージのテキストを読む際も、一画面当たりの表示文字数が少ないため、頻繁にスクロールしながら読まねばならず、使い勝手が良くない。
更に、ＢＢＳにメッセージを送信しようとした場合においても、テンキーを用いて文字入力を行わねばならず、長い文章の入力には非常に手間がかかると言う問題があった。
【００１０】
本発明はこのような従来技術の問題点に鑑みなされたものであり、その目的は、移動無線通信端末など、表示画面の小さな端末においても、容易に利用可能なＢＢＳを提供可能な電子掲示板サービス提供システムを実現することにある。
【００１１】
（発明の概要）
すなわち、本発明の要旨は、音声データの再生と記録が可能な、電話網に接続された音声処理装置と、文字メッセージを蓄積する文字メッセージデータベースを有し、読み出し要求に応答して、要求された文字メッセージを文字メッセージデータベースから読み出して送信する、コンピュータネットワークに接続されたサーバ装置とを有する電子掲示板サービス提供システムであって、サーバ装置が、音声データと関連付けされた文字メッセージに対する読み出し要求を受信した場合、当要求に応答して、要求された文字メッセージデータを読み出し要求の発信元に送信するとともに、その文字メッセージに関連づけられた音声データを音声処理装置で再生させるために必要な音声再生用データを、読み出し要求の送信元に送信するメッセージ送信手段と、文字メッセージデータベースへ蓄積する新規文字メッセージの作成要求に応答して、文字メッセージの作成に必要なデータと、音声処理装置を利用して、新規文字メッセージに関連した音声の記録を行うために必要な音声記録用データを作成要求の送信元に送信するメッセージ作成データ送信手段との少なくとも一方を有することを特徴とする電子掲示板サービス提供システムに存する。
【００１２】
また、本発明の別の要旨は、音声データの再生と記録が可能な、電話網に接続された音声処理装置と、文字メッセージを蓄積する文字メッセージデータベースを有し、読み出し要求に応答して、要求された文字メッセージを文字メッセージデータベースから読み出して送信する、コンピュータネットワークに接続されたサーバ装置とを有する電子掲示板サービス提供システムの制御方法であって、サーバ装置において、音声データと関連付けされた文字メッセージに対する読み出し要求を受信した場合、当要求に応答して、要求された文字メッセージデータを読み出し要求の発信元に送信するとともに、その文字メッセージに関連づけられた音声データを音声処理装置で再生させるために必要な音声再生用データを、読み出し要求の送信元に送信するメッセージ送信ステップと、サーバ装置において、文字メッセージデータベースへ蓄積する新規文字メッセージの作成要求に応答して、文字メッセージの作成に必要なデータと、音声処理装置を利用して、新規文字メッセージに関連した音声の記録を行うために必要な音声記録用データを作成要求の送信元に送信するメッセージ作成データ送信ステップとの少なくとも一方を有することを特徴とする電子掲示板サービス提供システムの制御方法に存する。
【００１３】
（発明を実施するためのベストモード）
（第１の実施形態）
以下、図面を参照して本発明をその好適な実施形態に基づき詳細に説明する。
図１は、本発明の一実施形態に係る電子掲示板サービス提供システムの一例としての移動無線通信システムの全体構成例を示すブロック図である。
【００１４】
図１において、移動無線通信システム１は、加入者端末（移動無線通信端末）１１、基地局（ＢＳ）２１及び２２、移動局交換制御局（ＭＳＣ）３１〜３３、インターネットゲートウエイ装置４、音声処理装置５及びゲートウェイ交換機６を有している。
【００１５】
図１の例では、加入者端末１１が基地局２１のサービス圏内に存在しており、基地局１１及び１２はいずれもＭＳＣ３１の管理下にある場合を示す。図には示していないが、ＭＳＣ３２及び３３にもそれぞれ管理対象となる複数の基地局及び、各基地局が受け持つ複数の加入者端末が存在する。もちろん、ＭＳＣの数や、各ＭＳＣが管理する基地局の数、各基地局が受け持つ加入者端末の数はいずれも任意である。
【００１６】
また、本実施形態におけるＭＳＣ３１〜３３はいずれも音声通信及びデータ通信双方の交換制御を行う。また、ＭＳＣ３１〜３３は互いに図示しない共通線により、交換制御に必要な制御信号等の通信を行っている。
【００１７】
ＭＳＣ３３には、移動無線通信システム１と公衆交換電話網（ＰＳＴＮ）１３とのインタフェースとして機能するゲートウェイ交換機６が接続されている。ＰＳＴＮ１３に接続された一般の固定加入者電話１４と、移動無線通信システム１に属する加入者端末とは、ゲートウェイ交換機６を介して回線が接続される。
【００１８】
また、ＭＳＣ３１には、メッセージに添付される音声データを管理する音声処理装置５が接続されている。音声処理装置５は、ＢＢＳのメッセージに添付された音声データや、移動無線通信端末１１に対する音声ガイダンス等の音声データが音声処理装置５で再生可能な形式で記憶される音声データベース（ＤＢ）１０とを有し、音声の録音、再生に関する処理を行う。また、音声処理装置５はＢＢＳサービスの管理を行うＢＢＳホスト８と通信可能に接続されている。
【００１９】
また、本実施形態において加入者端末１１は、音声通信のみならず、パケット通信も可能であり、端末に設けられたパケット通信用のキーを押下することにより、音声通信用の回線とは異なる回線によって他の加入者端末やコンピュータ機器等とデータ通信を行うことができる。
【００２０】
インターネットゲートウエイ装置４は、移動無線通信システム１とインターネット７とのインタフェースとして機能し、インターネット７を介してアクセス可能な機器と、移動無線通信システム１に属する端末とを接続する。
【００２１】
ＢＢＳホスト８は、所謂ＨＴＴＰサーバ（ＷＥＢサーバ）等のコンピュータ機器であり、インターネット７を介してアクセス可能な機器に対して、ＢＢＳを提供するサービス管理装置である。本実施形態において、移動無線通信端末１１はインターネットゲートウェイ装置４を介してインターネット上の機器と通信可能であり、従ってＢＢＳホスト８は移動無線通信端末１１に対しても他のコンピュータ機器に対するのと同様にＢＢＳを提供可能である。
【００２２】
本実施形態において、音声処理装置５及びＢＢＳホスト８は、いずれも必要な通信インタフェースを有する汎用のコンピュータ装置を用いて実現することができる。
【００２３】
図２は、本実施形態に係る音声処理装置５の構成例を示すブロック図である。音声処理装置５は、全体の制御を行うＣＰＵ５１と、ＣＰＵ５１が実行するプログラムや各種データを保存するＲＯＭ５２と、音声ＤＢ１０と、ＢＢＳホスト８とのデータ通信を行うためのインタフェースであるネットワークＩ／Ｆ５４と、ＣＰＵ５１のワークエリア等として用いられるＲＡＭ５５と、ＭＳＣ３１を介して加入者端末と音声通話を行うための通信Ｉ／Ｆ５６と、加入者端末で押下されたキーを認識するためのＤＴＭＦ検出部５７と、音声応答アプリケーションやＣＰＵ５１が実行するプログラム等が記憶されるＨＤＤ５８とを有する。
【００２４】
もちろん、これ以外の周辺機器、例えば表示装置や入力装置（キーボード、マウス等）、外部記憶装置が接続されていても良い。
【００２５】
また、各構成要素は、ＣＰＵ５１のバス（データバス、アドレスバス及びコントロールバス）によって相互に接続されている。また、通話中の端末キー押下を検出するため、ＤＴＭＦ検出部５７と通信Ｉ／Ｆ５６は直接接続される。
【００２６】
また、音声処理装置５における、音声の録音、再生処理は、ＣＰＵ５１が再生プログラムを実行することによって実現しても、専用のハードウェアを用いて実現するように構成してもよい。
【００２７】
このように、本実施形態に係る音声処理装置５は、移動無線通信システム１においては、加入者端末との通話が可能であり、ＢＢＳホスト８に対してはデータ通信可能な端末としてそれぞれ振る舞うことが可能であれば、任意の構成を採用することができる。
【００２８】
図３は、ＢＢＳホスト８の構成例を示すブロック図である。ＢＢＳホスト８は、全体の制御を行うＣＰＵ６１と、ＣＰＵ６１が実行するプログラムや各種データを保存するＲＯＭ６２と、表示装置６３と、インターネット１１及び音声処理装置５とのデータ通信を行うためのインタフェースであるネットワークＩ／Ｆ６４と、ＣＰＵ６１のワークエリア等として用いられるＲＡＭ６５と、表示装置６３に表示された画面の所定欄に文字などを入力したり、アイコンやＧＵＩにおけるボタンなどを指し示すためなどに用いられるキーボード及びポインティングデバイス等からなる入力装置６６と、ハンドル名と電子メールアドレスとの変換テーブル等、ユーザに関する情報が記憶されたユーザＤＢ６７と、ＣＰＵ６１が実行するプログラムや投稿されたメッセージ等が記憶されるＨＤＤ６８とを有する。
【００２９】
各構成要素は、ＣＰＵ６１のバス（データバス、アドレスバス及びコントロールバス）によって相互に接続されている。また、他の周辺機器が接続されていても構わない。このような中央処理サーバ１は、ネットワークインタフェースを有する汎用のコンピュータ装置により実現することができる。
【００３０】
次に、ＢＢＳホスト８が提供するＢＢＳを移動無線通信端末１１から利用する場合の手順について説明する。本実施形態において、ＢＢＳに投稿されたメッセージの閲覧、メッセージの投稿、音声の録音、再生等は、移動無線通信端末１１とＢＢＳホスト８との間でパケット通信等のデータ通信を行うことによって対話的に行う。
【００３１】
具体的には、例えば移動無線通信端末１１に設けられているデータ通信用の接続用ボタンを加入者が押下することによって移動無線通信端末１１とインターネットゲートウェイ装置４との間の回線が確立し、さらに移動無線通信端末１１のキーを用いてＢＢＳホスト８のＵＲＬ、ＩＰアドレス等を入力することにより、インターネット７を介して移動無線通信端末１１とＢＢＳホスト８との間でＴＣＰ／ＩＰプロトコルによる通信が実現されるように構成し、ＨＴＴＰプロトコル等に従った双方向通信を行うことにより、端末１１とホスト８との対話的なやりとりが実現できる。
【００３２】
（ＢＢＳホストの動作）
次に、移動無線通信端末１１からＢＢＳホスト８が提供するＢＢＳを利用する際の、ＢＢＳホストの動作について、図４に示すフローチャートを用いて説明する。
【００３３】
図４は、移動無線通信システム１に属する加入者端末（移動無線通信端末１１）とＢＢＳホスト８とが接続されてからの、ＢＢＳホスト８における処理を示すフローチャートである。
【００３４】
まず、ステップＳ１０１において、ＢＢＳの初期画面表示データを送信する。本実施形態において、ＢＢＳの初期画面は、図１１Ａに示したような、メッセージのタイトル表示がなされる画面とする。移動無線通信端末１１での初期画面表示例を図５Ａに示す。ＢＢＳホスト８から移動無線通信端末１１に送信される画面表示データは、端末が有するアプリケーションで解釈できればどのような形式であっても良いが、例えばＨＴＭＬ（ＳＧＭＬ、ＸＭＬ）等の汎用マークアップ言語もしくはその命令拡張がなされたものや、ＷＡＰ等を用いることができる。もちろん他の形式であってもよい。また、メッセージの表示データ（全文表示、タイトル表示を問わず）には、メッセージ毎に独立して割り当てられたメッセージＩＤが含まれている。
【００３５】
移動無線通信端末１１のユーザは、画面表示中のハイパーリンク（下線が付された部分）を端末のキーを用いて選択し、その状態で画面最下段に表示された「選択」の表示に割り当てられたキーを押下することによって、リンクに書かれた（表示されない）命令が実行される。この命令には、例えばリンク表示されたメッセージのタイトル部分に埋め込まれた、対応するテキストの読み出し命令や、後述する音声再生、録音処理のリンクに埋め込まれた特定の番号への発呼等がある。
【００３６】
また、画面最下段の「戻る」表示に割り当てられたキーを押下することによって、直前に表示されていた画面に戻ることができる。
【００３７】
次に、ＢＢＳホスト８は、初期画面中のメッセージまたはメニュー項目（「新規トピック作成」、「次のページを表示」、「前のページを表示」）が選択されたかどうかを検出する（ステップＳ１０２及びＳ１１４）。メニュー項目のうち、「次のページを表示」、「前のページを表示」（ページ移動項目）のいずれかが選択された場合には、それぞれ初期画面の次ページ、前ページをＨＤＤ６８から読み出して送信する（ステップＳ１１５）。
また、メニュー項目のうち、「新規トピック作成」が選択された場合には、ステップＳ１１６に移行する。
【００３８】
一方、ステップＳ１０２において、初期画面で表示されたタイトルリストの中から、特定のメッセージの選択が検出された場合には、選択されたメッセージのタイトル、送信者名（ハンドル名等）、作成日時とともに、アクション選択画面の表示データを送信する（ステップＳ１０３）。
【００３９】
アクション選択画面は、例えば図５Ｂに示すような画面であり、選択されたメッセージのタイトル、送信者名（ハンドル名等）、作成日時とともに、移動無線通信端末１１のユーザが行いうる操作を示すメニュー項目が表示される。
【００４０】
本発明に係る電子掲示板サービス提供システムは、従来のテキストデータのみを取り扱う電子掲示板サービスに対し、音声データをも併せて取り扱い可能とすることにより、文字によらないメッセージの作成、再生を実現することを特徴とする。そのため、アクション選択画面においては、以下のメニュー項目（リンク）が表示される。
【００４１】
１）「テキストの表示」リンク
選択されると、メッセージに含まれるテキスト形式のテキストを表示する
２）「音声再生」リンク
メッセージに音声データが添付されている場合にのみ表示され、このリンクを選択することによって添付された音声を聞くことができる。音声再生処理については後で詳しく説明する。
【００４２】
３）「応答する」リンク
選択されると、表示中のメッセージに対する応答メッセージ（コメント）を作成する画面が表示される。
４）「新規トピック作成」リンク
選択されると、表示中のメッセージとは関係なく、新しいトピックとしてのメッセージを作成する画面が表示される。
【００４３】
ＢＢＳホスト８は、アクション選択画面から「テキストの表示」リンクが選択された場合には（ステップＳ１０４）、ＨＤＤ６８からメッセージのテキストを読み出して、全文表示画面の表示データと共に送信する（ステップＳ１０５）。また、「音声再生」以外の他のメニュー項目、即ち、「応答する」リンクもしくは「新規トピックの作成」リンクが選択された場合には（ステップＳ１０６及びＳ１０７）、それぞれ対応したメッセージ作成画面表示データを送信する（ステップＳ１０９及びＳ１１６）。アクション選択画面において、「音声再生」リンクが選択された場合の処理については別途説明する。
【００４４】
ステップＳ１０５において送信される全文表示データによって移動無線通信端末１１で表示される全文表示画面の例を図５Ｃに示す。図に示すように、全文表示画面においては、アクション選択画面と同様にメッセージのタイトル、送信者名（ハンドル名等）、作成日時が表示され、次にメッセージのテキスト全文、「応答する」、「新規トピックの生成」リンクが表示される。
【００４５】
全文表示画面から、「応答する」リンクもしくは「新規トピックの作成」リンクが選択された場合には（ステップＳ１０８）、それぞれ対応したメッセージ作成画面表示データを送信する（ステップＳ１０９及びＳ１１６）。ＢＢＳホスト８は、これらメッセージ作成画面の表示データを送信する際、個々のメッセージに対して個別のメッセージＩＤを割り当て、同時に送信する。
【００４６】
また、応答メッセージ作成用画面の表示データを送信する際には、応答の対象となる表示中のメッセージ（親メッセージ）のメッセージＩＤや、返信用タイトル（例えば、親メッセージがトピックであるときには親メッセージのタイトルに”Ｒｅ：”を付加したもの、親メッセージがコメントであるときには親メッセージのタイトル）等を併せて送信することもできる。
【００４７】
応答メッセージ作成用画面の例を図５Ｄに、新規メッセージ作成用画面の例を図５Ｅにそれぞれ示す。図５Ｄの応答メッセージ作成用画面については、ＢＢＳホスト８から送信された、もしくは移動無線通信端末１１が表示中の親メッセージから取得したタイトルが書き込まれた状態を示す。
【００４８】
ＢＢＳホスト８は、メッセージ作成用画面表示データを送信した後、移動無線通信端末１１からメッセージを受信するのを待つ（ステップＳ１１０）。この間、移動無線通信端末１１側では、ユーザが必要に応じてメッセージに添付する音声の録音等を行う。メッセージに添付する音声の録音がなされた場合には、後述するように音声処理装置５から音声の録音がなされたメッセージのメッセージＩＤ等、添付されるメッセージを特定する情報が通知されるので、ＢＢＳホスト８はこの通知があった場合、ＲＡＭ５５の所定領域等に一時記憶しておく。
【００４９】
移動無線通信端末１１でメッセージの作成が終了し、メッセージ作成画面で「送信」に対応するキーが押下されると、作成されたメッセージがＢＢＳホスト８で受信される。ＢＢＳホスト８は、受信したメッセージのメッセージＩＤ等、音声処理装置５からの通知と比較可能なデータを参照し、受信したメッセージに対して添付された音声があるかどうかをチェックする（ステップＳ１１１）。
【００５０】
ＲＡＭ５５に記憶された通知に対応するメッセージを受信した場合には、ステップＳ１１２において受信メッセージに音声が添付されていることを示す音声フラグをセットして、メッセージをＨＤＤ６８に格納する（ステップＳ１１３）。ステップＳ１１１において、添付された音声がないと判断された場合には、受信したメッセージをそのままＨＤＤ６８に格納する（ステップＳ１１３）。
【００５１】
（音声処理）
次に、図６に示すフローチャートを用いて、メッセージに添付された音声を再生する際の音声処理装置５の動作について説明する。
本実施形態において、例えば音声の再生、録音等のために音声処理装置５が用いられる際には、音声処理装置５が利用されることを意味する特別な番号（例えば、再生時は「００ＸＸ」、録音時は「００ＹＹ」とする。Ｘは１〜９の整数）が発呼に用いられるものとする。
【００５２】
移動無線通信端末１１から音声処理装置５への発呼は、ユーザが直接行うのではなく、ユーザが画面上の「音声再生」「録音する」のリンクを選択し、「選択」に対応するキーを押下することにより、このリンクに埋め込まれた（表示されない形で書かれた）命令を移動無線通信端末１１のアプリケーションが解釈し、音声処理装置５へ発呼する。
【００５３】
また、本実施形態において音声処理装置５へ発呼する際には、上述の特別番号に、＃＋メッセージＩＤを付加した形で発呼を行う。例えば、メッセージＩＤが「０１００」のメッセージに添付された音声を再生したい場合には、「００ＸＸ＃０１００」が発呼される。同様に、メッセージＩＤが「０１００」のメッセージに音声を録音したい場合には、「００ＹＹ＃０１００」が発呼される。
【００５４】
例えばＢＢＳ初期画面（図５Ａ）でメッセージが指定され、アクション選択画面（図５Ｂ）の表示データを送信する際、ＢＢＳホスト８が、選択されたメッセージの音声フラグを参照して、音声が添付されていることを検出した場合には、表示データ中に含ませる「音声再生」リンク中に上述の発呼番号を埋め込んで送信する。具体的には、例えばＢＢＳ初期画面（図５Ａ）でメッセージＩＤ「０１００」のメッセージが指定され、このメッセージに音声が添付されていれば、アクション選択画面（図５Ｂ）の表示データを送信する際、その中の「音声再生」リンクに「００ＸＸ＃０１００」という発呼番号を埋め込む。
【００５５】
同様に、「新規トピック作成」リンクや、「応答する」リンクの選択に応答して送信するメッセージ作成用画面表示データ中に含まれる「録音する」リンクには、その新規メッセージに割り当てたメッセージＩＤ（「０３００」とする）を用いて、「００ＹＹ＃０３００」と言う発呼番号を埋め込む。
【００５６】
「００ＸＸ」（もしくは「００ＹＹ」）へ発呼されると、ＢＳ２１を介してこの発呼番号を受信したＭＳＣ３１は、音声処理装置５への発呼であることを自ら（もしくは、図示しない中央制御局に問い合わせして）認識し、音声処理装置５を呼び出す。
【００５７】
（音声処理装置の動作−音声再生）
まず、再生用の番号「００ＸＸ」（及び引き続くメッセージＩＤ）で発呼された場合の音声処理装置５の動作を図６のフローチャートを用いて説明する。音声処理装置５は、この呼び出しに応答し（ステップＳ２０１）、この時点で音声処理装置５と移動無線通信端末１１との間の回線が接続される。
【００５８】
音声処理装置５は、「００ＸＸ」で呼び出されたことにより、再生を要求されていることを認識し、「００ＸＸ」に続く番号から＃を除いた番号、すなわちメッセージＩＤを取得する（ステップＳ２０２）。そして、「これから、メッセージに添付された音声を再生します。よろしければ”＃”を押してください。再生を中断する場合には、”＊”を押してください。」等の音声ガイダンスを音声ＤＢ１０から再生して、ユーザに送信する（ステップＳ２０３）。
【００５９】
ステップＳ２０４において、ＤＴＭＦ検出部５７で”＃”キーの押下が検出されたら、ステップＳ２０２で取得したメッセージＩＤを用いて、音声ＤＢ１０を検索する（ステップＳ２０５）。そして、検索された音声データを再生する（ステップＳ２０６）。
【００６０】
音声データの再生中は、予め割り当てた中断用のキー”＊”の押下がなされたかどうかを検出し、録音された音声データの再生が終了するか、中断用のキーが押下されるまで再生を行う（ステップＳ２０７、Ｓ２０８）。
【００６１】
録音された音声データの再生が終了するか、中断用のキーが押下されると、音声処理装置５は移動無線通信端末１１との回線を切断する（ステップＳ２０９）。
【００６２】
このように音声の再生処理が行われている間、移動無線通信端末１１の画面は、「音声再生」リンクを選択した画面、即ち本実施形態では図５Ｂに示すアクション選択画面の表示を維持していることが望ましい。音声処理装置５への発呼時に、発呼表示に切り替わる端末の場合は、音声処理装置５との回線切断を検出してアクション選択画面の表示に戻すようにすればよい。
【００６３】
（音声処理装置の動作−音声録音）
次に、録音用の番号「００ＹＹ」（及び引き続くメッセージＩＤ）で発呼された場合の音声処理装置５の動作を図７のフローチャートを用いて説明する。音声処理装置５は、この呼び出しに応答し（ステップＳ３０１）、この時点で音声処理装置５と移動無線通信端末１１との間の回線が接続される。
【００６４】
音声処理装置５は、「００ＹＹ」で呼び出されたことにより、録音を要求されていることを認識し、「００ＹＹ」に続く番号から＃を除いた番号、すなわちメッセージＩＤを取得する（ステップＳ３０２）。そして、「これから、メッセージに添付する音声を録音します。よろしければ”＃”を押してください。録音を終了する場合には、”＊”を押してください。」等の音声ガイダンスを音声ＤＢ１０から再生して、ユーザに送信する（ステップＳ３０３）。
【００６５】
ステップＳ３０４において、ＤＴＭＦ検出部５７で”＃”キーの押下が検出されたら、移動無線通信端末１１からの音声録音を開始する（ステップＳ３０５）。
【００６６】
音声データの録音中は、予め割り当てた中断用のキー”＊”の押下がなされたかどうかを検出し、予め決められた録音上限時間に達するか、中断用のキーが押下されるまで録音を行う（ステップＳ３０６、Ｓ３０７）。
【００６７】
録音の上限時間に達するか、録音中断用のキーが押下されると、音声処理装置５は移動無線通信端末１１との回線を切断する（ステップＳ３０８）。そして、ステップＳ３０２で取得したメッセージＩＤをファイル名とする音声データファイルを音声ＤＢ１０に格納する（ステップＳ３０９）。
【００６８】
次いで、音声処理装置５は、音声の録音がなされたメッセージを特定する情報、本実施形態ではメッセージＩＤを、ネットワークＩ／Ｆ５４を介してＢＢＳホスト８に通知する（ステップＳ３１０）。
【００６９】
このように音声の録音処理が行われている間、音声再生処理中と同様に、移動無線通信端末１１の画面は、「録音する」リンクを選択した画面、即ち本実施形態では図５Ｄまたは図５Ｅに示すメッセージ作成画面の表示を維持していることが望ましい。音声処理装置５への発呼時に、発呼表示に切り替わる端末の場合は、音声処理装置５との回線切断を検出してメッセージ作成画面の表示に戻すようにすればよい。
【００７０】
（メッセージデータの構成）
図８は、本実施形態におけるメッセージデータのデータ構成例及び、音声を添付した応答メッセージを作成した場合のデータ内容の変化を示す図である。
メッセージデータは、図８Ａに示すように以下のフィールドから構成される。
【００７１】
１）「メッセージＩＤ」フィールド１０１
ＢＢＳホスト８が割り当てるメッセージＩＤを格納するフィールド。
２）「親メッセージＩＤ」フィールド１０２
応答メッセージにおいてコメント元となる親メッセージのメッセージＩＤを格納するフィールド。
【００７２】
３）「タイトル」フィールド１０３
メッセージのタイトルを格納するフィールド。
４）「テキスト」フィールド
メッセージのテキストが格納されるフィールド。
【００７３】
５）「音声フラグ」
メッセージに関連した音声データがあるかどうかを示すフラグ。音声デーがある場合”１”にセットされる。
６）「送信者」フィールド
メッセージの作成者を特定する情報、例えばハンドル名、メールアドレス等が格納されるフィールド。
７）「送信時間」フィールド
送信時に移動無線通信端末１１が有する時計の時間を書き込むフィールド。
【００７４】
次に、音声録音を行った応答メッセージを作成する場合に、メッセージデータの各フィールドがどのように変化するかを説明する。
まず、アクション選択画面（図５Ｂ）もしくは全文表示画面（図５Ｃ）から、「応答する」リンクを選択し、「選択」に対応するキーを押下すると、ＢＢＳホスト８から、作成メッセージに割り当てられたメッセージＩＤ（ここでは「１１０１」とする）と、応答対象の親メッセージのメッセージＩＤ（「８８５」とする）が、メッセージ作成画面の表示用データと共に送信されてくる。これを受けて移動無線通信端末１１のアプリケーションプログラムは、それぞれのＩＤをメッセージＩＤフィールド１０１と親メッセージＩＤフィールド１０２に格納する。また、本実施形態では応答メッセージの場合、親メッセージのタイトルを利用した応答メッセージ用タイトルを自動生成し、タイトルフィールド１０３に格納する（図８Ｂ）。
【００７５】
そして、ユーザがテキストをメッセージ作成画面の”Ｂｏｄｙ：”欄に記入すると、その内容がテキストフィールドに格納される（図８Ｃ）。そして、その後、上述した音声録音処理により、このメッセージに添付する音声を録音する。録音が終了すると、前述の音声録音がなされたメッセージを特定する情報として、メッセージＩＤ（「１１０１」）が音声処理装置５からＢＢＳホスト８へ通知される。本実施形態においては、音声録音の有無は移動無線通信端末１１内にあるメッセージデータのフィールド値に影響しない。
【００７６】
ユーザがメッセージの作成を終了し、メッセージ作成画面から「送信する」リンクを選択し、「選択」に対応するキーを押下すると、移動無線通信端末１１の電子メールアドレスが送信者フィールド１０６に格納される。また、移動無線通信端末１１内の時計から、年、月、日及び時間が取得され、送信時間フィールド１０７に格納され（図８Ｄ）、その後ＢＢＳホスト８に送信される。もちろん、本明細書中の各実施形態において、テキストフィールドに対する文字入力は必須でなく、音声データのみを有するメッセージであっても良い。
【００７７】
ＢＢＳホスト８では、メッセージを受信すると、音声処理装置５から通知され、ＲＡＭ５５に記憶したメッセージＩＤを参照し、受信したメッセージに対応するメッセージＩＤがあるかどうかを調べる。その結果、同一のメッセージＩＤが存在するので、ＢＢＳホスト８はメッセージデータの音声フラグ１０５を”１”にセットする。また、受信したメッセージの送信者フィールド１０６に格納された電子メールアドレスを、ユーザＤＢ６７を参照してハンドル名に変換し、送信者フィールド１０６に上書きする（図８Ｅ）。そして、メッセージデータをＨＤＤ６８に格納する。
【００７８】
（第２の実施形態）
第１の実施形態においては、音声処理時にメッセージＩＤを付加した特殊番号を用いて音声処理装置５に発呼していた。しかし、移動無線通信端末１１がＢＢＳホスト８とのデータ通信を行う際、加入者番号、端末番号等の移動無線通信端末１１に固有な情報をＢＢＳホスト８に通知する（又はＭＳＣ３１がインターネットゲートウェイ装置４を介してＢＢＳホスト８に通知する）場合及び、移動無線通信端末１１が音声処理装置５と通話回線を確立する際に同一の情報もしくはデータ通信時にＢＢＳホスト８に通知される情報と一対一で対応付けが可能な固有情報を通知する場合には、移動無線通信端末１１が音声処理装置５を発呼する際にメッセージＩＤを通知する必要がない。
【００７９】
例えば、最も簡単な例として、移動無線通信端末１１がＢＢＳホスト８との通信時に加入者番号を通知し、また通常の通話を行う際も相手先に自分の加入者番号を通知する場合を考える。
【００８０】
図９は、本実施形態におけるＢＢＳホスト８の動作を示すフローチャートである。第１の実施形態における処理（図４）と同じ動作については同じステップ番号を付し、重複する説明は省略する。
【００８１】
図４と図９との比較から明らかなように、本実施形態においては、ＢＢＳホスト８も音声処理に関わる点で第１の実施形態と異なっている。即ち、アクション選択画面（図５Ｂ）において、「音声再生」リンクが選択された場合、第１の実施形態においてはＢＢＳホスト８は何もしなかったが、本実施形態のＢＢＳホスト８は「音声再生」リンクの選択有無を検出する（ステップＳ５０１）。「音声再生」リンクが選択された場合、本実施形態によるＢＢＳホスト８は、「音声再生」リンクが選択されたメッセージのメッセージＩＤを音声処理装置５に通知する（ステップＳ５０２）。
【００８２】
また、音声の録音がなされた場合には、メッセージの格納（ステップＳ１１３）の後、本実施形態のＢＢＳホスト８は格納したメッセージのメッセージＩＤを音声処理装置５に通知する（ステップＳ５０３）。
【００８３】
ステップＳ５０３でメッセージＩＤを通知する理由は、この時点で音声処理装置５は、録音音声データを加入者番号と対応付けた状態であるため、このままの状態だと、同じ加入者が複数の音声データを録音した場合にその区別が付かなくなるおそれがあるためである。そのため、メッセージを格納した後、そのメッセージを送信してきた移動無線通信端末１１の加入者番号とメッセージＩＤをＢＢＳホスト８が音声処理装置５に通知することにより、音声処理装置５では、通知された加入者番号に対応付けされた最新の録音データに、加入者番号と共に通知されたメッセージＩＤを対応付けて音声データファイルを音声ＤＢ１０に格納することができる。
【００８４】
図１０は、本実施形態における音声処理装置５の録音処理を説明するフローチャートである。図９と同様、第１の実施形態で対応する図７と同じ動作については同じステップ番号を付し、重複する説明は省略する。
【００８５】
第１の実施形態と異なるのは、録音時に加入者番号を取得すること（ステップＳ４０１）と、音声データを加入者番号と対応付けして一時的に音声ＤＢ１０に格納した後に、加入者番号をＢＢＳホスト８に通知し（ステップＳ４０２）、その後その加入者番号に対応するメッセージＩＤがＢＢＳホスト８から通知されるのを待ち（ステップＳ４０３）、ＢＢＳホスト８から通知された加入者番号に対応付けされた最新の音声データに、加入者番号と共に通知されたメッセージＩＤを対応付けて音声データファイルを音声ＤＢ１０に格納する（ステップＳ４０４）点である。
【００８６】
このように、最終的にメッセージＩＤ（もしくは、メッセージ固有の他の情報）と音声データとを対応付けて音声ＤＢ１０に格納することにより、再生時には格納時に用いたメッセージ固有の情報を用いて音声ＤＢを検索することで、正しい音声データを再生することが可能になる。
【００８７】
本実施形態において音声処理装置５での再生処理は、第１の実施形態における再生処理を示す図６のフローチャートと同一でよい。
ただし、本実施形態で音声録音時に行ったように、移動無線通信端末１１からメッセージＩＤを用いないで音声再生を行うことも可能である。この場合、図６のフローチャートの、ステップＳ２０２におけるメッセージＩＤの取得を、移動無線通信端末１１からでは無く、ＢＢＳホスト８からの通知（図９、ステップＳ５０２）によって行うようにすればよい。
【００８８】
（第３の実施形態）
第１の実施形態においては、メッセージデータの音声フラグを、ＢＢＳホスト８で付加する構成であった。しかし、このフラグのセットを移動無線通信端末１１で行うことにより、ＢＢＳホスト８と音声処理装置５との間で行われる、メッセージＩＤ等の通信を不要にすることができる。
【００８９】
具体的には、音声記録処理が終了した後、移動無線通信端末１１と音声処理装置５との回線が切断された（図７、ステップＳ３０８）ことを移動無線通信端末１１が検出して、メッセージデータの音声フラグを”１”にセットし、その後メッセージを送信すればよい。すなわち、図８Ｄの状態で音声フラグ１０５を”１”にセットする。
【００９０】
この結果、ＢＢＳホスト８でのチェック処理及び音声フラグセット処理（図４、ステップＳ１１１、Ｓ１１２）が不要になる。従って、音声処理装置５からのメッセージＩＤ通知も不要となり、移動無線通信端末１１と音声処理装置５との間の通信が不要になる。
【００９１】
（他の実施形態）
上述の実施形態においては、音声処理装置５を利用する番号を再生時と、録音時で分けた例を説明したが、音声ガイダンスに応答して再生、録音を指示可能であれば、同一の番号を使用することもできる。
また、上述の実施形態においては、ＢＢＳに登録されているメッセージが文字のみで構成されている例を示したが、画像が含まれていても良い。
【００９２】
以上説明したように、本発明によれば、表示能力に制限のある移動無線通信端末からでも利用しやすい電子掲示板サービスを提供することが可能になる。
【図面の簡単な説明】
【図１】
本発明の実施形態に係る電子掲示板システムの全体構成例を説明する図である。
【図２】
図１における音声処理装置５の構成例を示すブロック図である。
【図３】
図１におけるＢＢＳホスト８の構成例を示すブロック図である。
【図４】
図１におけるＢＢＳホスト８の動作を示すフローチャートである。
【図５】
Ａ〜Ｅは移動無線通信端末で表示される画面の例を示す図である。
【図６】
第１の実施形態において、音声処理装置５が行う音声再生処理を説明するフローチャートである。
【図７】
第１の実施形態において、音声処理装置５が行う音声録音処理を説明するフローチャートである。
【図８】
Ａ〜Ｅは第１の実施形態におけるメッセージデータの構成例を示す図である。
【図９】
第２の実施形態におけるＢＢＳホスト８の動作を示すフローチャートである。
【図１０】
第２の実施形態において、音声処理装置５が行う音声録音処理を説明するフローチャートである。
【図１１】
Ａ及びＢは従来のＢＢＳで表示される画面の例を示す図である。
【図１】
2004523930.tif 000003
【図２】
2004523930.tif 000004
【図３】
2004523930.tif 000005
【図４】
2004523930.tif 000006
【図５】
2004523930.tif 000007
【図６】
2004523930.tif 000008
【図７】
2004523930.tif 000009
【図８】
2004523930.tif 000010
【図９】
2004523930.tif 000011
【図１０】
2004523930.tif 000012
【図１１】
2004523930.tif 000013
【国際公開パンフレット】
2004523930.tif 000014
2004523930.tif 000015
2004523930.tif 000016
2004523930.tif 000017
2004523930.tif 000018
2004523930.tif 000019
2004523930.tif 000020
2004523930.tif 000021
2004523930.tif 000022
2004523930.tif 000023
2004523930.tif 000024
2004523930.tif 000025
2004523930.tif 000026
2004523930.tif 000027
2004523930.tif 000028
2004523930.tif 000029
2004523930.tif 000030
2004523930.tif 000031
2004523930.tif 000032
2004523930.tif 000033
2004523930.tif 000034
2004523930.tif 000035
2004523930.tif 000036
2004523930.tif 000037
2004523930.tif 000038
2004523930.tif 000039
2004523930.tif 000040
2004523930.tif 000041
2004523930.tif 000042
2004523930.tif 000043
2004523930.tif 000044
2004523930.tif 000045
2004523930.tif 000046
2004523930.tif 000047
2004523930.tif 000048
2004523930.tif 000049
2004523930.tif 000050
2004523930.tif 000051
2004523930.tif 000052
2004523930.tif 000053
2004523930.tif 000054
2004523930.tif 000055
2004523930.tif 000056
2004523930.tif 000057
2004523930.tif 000058
2004523930.tif 000059
2004523930.tif 000060
2004523930.tif 000061
【国際公開パンフレット（コレクトバージョン）】
2004523930.tif 000062
【国際公開パンフレット（コレクトバージョン）】
2004523930.tif 000063
【国際調査報告】
2004523930.tif 000064
2004523930.tif 000065
2004523930.tif 000066